(57)【要約】
【目的】　瓶の内容物を使用する直前まで、開蓋できないようにした瓶用キャップを提供すること。
【解決手段】　この考案の瓶用キャップは、瓶の口部に装着されるようにした装着体１と、装着体１にヒンジを介して取り付けられた蓋体３からなる瓶用キャップであって、蓋体３は、弱化線４ａ，４ｂを介して装着体１と一体に形成されており、前記弱化線４ａ，４ｂを形成した部分を引き裂くことにより、装着体１と蓋体３がヒンジ部分を除いて分離し、開蓋できるようにしたものとしている。
【選択図】　図３
0003100547.tif 000002
【実用新案登録請求の範囲】
【請求項１】
　瓶の口部に装着されるようにした装着体（１）と、装着体（１）にヒンジ（２）を介して取り付けられた蓋体（３）からなる瓶用キャップであって、蓋体（３）は、弱化線（４ａ）（４ｂ）を介して装着体（１）と一体に形成されており、前記弱化線（４ａ）（４ｂ）を形成した部分を引き裂くことにより、装着体（１）と蓋体（３）がヒンジ（２）部分を除いて分離し、開蓋できるようにしていることを特徴とする瓶用キャップ。
【請求項２】
　２本の弱化線（４ａ）（４ｂ）がヒンジ（２）を除いて周方向に平行に設けられ、かつ、両弱化線（４ａ）（４ｂ）の一端に両弱化線（４ａ）（４ｂ）の間の部分（５）の延長片（５ａ）が指でつまめるように形成されており、この延長片（５ａ）を引っ張ることにより、両弱化線（４ａ）（４ｂ）を形成した部分を引き裂くことができるようにしている請求項１記載の瓶用キャップ。
【請求項３】
　装着体（１）の内側に、内容物遮断壁（６）と、内容物遮断壁（６）を開口するためのプルタブ（７）が設けられている請求項１又は２記載の瓶用キャップ。
【考案の詳細な説明】
【技術分野】
【０００１】
　この考案は、醤油、みりん等の調味料や、その他適宜の液体状の内容物を入れた瓶の口部に装着される瓶用キャップに関するものである。
【背景技術】
【０００２】
　従来より、瓶の口部に取り付けられる装着体と、装着体にヒンジを介して取り付けられた蓋体からなる合成樹脂製の瓶用キャップが、醤油やみりん等の液体状の内容物を入れて販売されるガラス瓶やペットボトル等の瓶に使用されている（例えば特許文献１参照）。
【０００３】
　この種の瓶用キャップは、使用時に開蓋して内容物を注ぎ出すようにしているが、販売店で陳列しているときに、何者かが開蓋し、瓶に異物を混入するおそれがあった。そのため、安全面から、購入者が実際に瓶の内容物を使用する直前まで、開蓋できないようにしたものが望まれている。
【特許文献１】第３０９３９１５号登録実用新案公報
【考案の開示】
【考案が解決しようとする課題】
【０００４】
　そこで、この考案は、瓶の内容物を使用する直前まで、開蓋できないようにした瓶用キャップを提供することを課題とする。
【課題を解決するための手段】
【０００５】
　この考案の瓶用キャップは、瓶の口部に装着されるようにした装着体１と、装着体１にヒンジ２を介して取り付けられた蓋体３からなる瓶用キャップであって、蓋体３は、弱化線４ａ，４ｂを介して装着体１と一体に形成されており、前記弱化線４ａ，４ｂを形成した部分を引き裂くことにより、装着体１と蓋体３がヒンジ２部分を除いて分離し、開蓋できるようにしたものとしている。
【０００６】
　また、２本の弱化線４ａ，４ｂがヒンジ２を除いて周方向に平行に設けられ、かつ、両弱化線４ａ，４ｂの一端に両弱化線４ａ，４ｂの間の部分５の延長片５ａが指でつまめるように形成されており、この延長片５ａを引っ張ることにより、両弱化線４ａ，４ｂを形成した部分を引き裂くことができるようにしたものとすることができる。
【０００７】
　さらに、装着体１の内側に、内容物遮断壁６と、内容物遮断壁６を開口するためのプルタブ７が設けられたものとすることができる。
【考案の効果】
【０００８】
　この考案の瓶用キャップは、上述のような構成を有しており、開蓋するには、弱化線４ａ，４ｂを形成した部分を引き裂き、装着体１と蓋体３がヒンジ２部分を除いて分離した状態にする必要があるため、いったん開蓋すると、開蓋したことが外観から明らかとなり、販売店で陳列しているときに、何者かが開蓋し、瓶に異物を混入することを防止することができる。
【０００９】
　また、２本の弱化線４ａ，４ｂがヒンジ２を除いて周方向に平行に設けられ、かつ、両弱化線４ａ，４ｂの一端に両弱化線４ａ，４ｂの間の部分５の延長片５ａが指でつまめるように形成されており、この延長片５ａを引っ張ることにより、両弱化線４ａ，４ｂを形成した部分を引き裂くことができるようにしたものとすれば、開蓋時に両弱化線４ａ，４ｂの間の部分５が紐状になって両弱化線４ａ，４ｂが引き裂かれていき、容易に開蓋することが可能になる。
【００１０】
　さらに、装着体１の内側に、内容物遮断壁６と、内容物遮断壁６を開口するためのプルタブ７が設けられものとすることにより、瓶が二重に密閉されたものとなり、より安全性が高まる。
【考案を実施するための最良の形態】
【００１１】
　以下、この考案の好適な実施形態を、図面を参照して説明する。
【００１２】
　図１はこの考案の瓶用キャップの開蓋前の状態の斜視図、図２は同背面図、図３は同断面図、図４は弱化線４ａ，４ｂを形成した部分を引き裂く様子を示す斜視図、図５は弱化線を引き裂き終えた様子を示す斜視図、図６は開蓋した状態を示す斜視図、図７は蓋体を切り離した状態を示す斜視図である。
【００１３】
　この考案の瓶用キャップは、瓶の口部に装着されるようにした装着体１と、装着体１にヒンジ２を介して取り付けられた蓋体３からなる瓶用キャップであって、蓋体３は、弱化線４ａ，４ｂを介して装着体と一体に形成されており、前記弱化線４ａ，４ｂを形成した部分を引き裂くことにより、装着体１と蓋体３がヒンジ２部分を除いて分離し、開蓋できるようにしている。
【００１４】
　装着体１、ヒンジ２及び蓋体３は、一体のものとして合成樹脂で形成されたものとすることができる。装着体１は、瓶の口部の外周面を包囲する筒状部８と、筒状部８の内側に形成された注ぎ口９からなる。注ぎ口９は筒状で、その上部９ａが装着された瓶の口部上方に突出し、下部９ｂが口部の内周面に沿うようになっている（図３参照）。
【００１５】
　装着体１は、筒状部８と注ぎ口９の下部９ｂとの間に瓶の口部を押し込むことにより、しっかりと瓶の口部に装着された状態となる。
【００１６】
　装着体１の注ぎ口９の内側には内容物遮断壁６が形成され、内容物遮断壁６には平面視において略菱形状に薄肉部分１０が形成されており、この薄肉部分１０の内側に接続されたプルタブ７を引いて内容物遮断壁６を開口させられるようになっている。
【００１７】
　弱化線４ａ，４ｂは２本で、ヒンジ２を除いて周方向に平行に設けられ、かつ、両弱化線４ａ，４ｂの一端に両弱化線４ａ，４ｂの間の部分５の延長片５ａが形成されており、この延長片５ａを引っ張ることにより、両弱化線４ａ，４ｂを形成した部分を引き裂くことができるようにしている。弱化線４ａ，４ｂは、ミシン目を形成したり、溝を形成したりして肉厚を薄くする等、適宜の手段により形成することができる。
【００１８】
　図２に示したように、筒状部８には、ヒンジ２の付け根の左側と右側に、使用後に瓶からのキャップを取り外すためのキャップ取り外し用弱化線１１，１２が形成されている。キャップ取り外し用弱化線１１，１２は、筒状部８の上端から下端付近に至るように縦方向に形成されている。
【００１９】
　キャップ取り外し用弱化線１１，１２は、人の手だけで比較的容易に引き裂くことができる程度に弱化させた部分で、筒状部８の内側又は外側からミシン目を形成したり、溝を形成したりして肉厚を薄くする等、適宜の手段により形成することができる。
【００２０】
　蓋体３は、筒状部８と同じ径の周壁１３を有し、この周壁１３の下端部に接続されたヒンジ２を介して装着体１に取り付けられる。このキャップを開蓋し、蓋体３を図６に示したように開いた状態にすると、ヒンジ２により、この開いた状態が保持されるようになっている。
【００２１】
　次に、この瓶用キャップを、開蓋する方法について説明する。
【００２２】
　まず、両弱化線４ａ，４ｂの間の部分５の延長片５ａを指でつまんで外側に引っ張り、図４に示したように、徐々に両弱化線４ａ，４ｂを引き裂いていく。両弱化線４ａ，４ｂの間の部分５は紐状になり、容易に引き裂いていくことが可能である。
【００２３】
　両弱化線４ａ，４ｂが、その最終端のヒンジ付近まで引き裂かれると、図５に示したように両弱化線４ａ，４ｂの間の部分５がキャップ本体から離脱し、ヒンジ２部分を除いて、装着体１と蓋体３との間に隙間ができ、分離した状態になり、開蓋可能な状態となる。
【００２４】
　そして、図６に示したように開蓋し、プルタブ７を引き抜くことにより、瓶から内容物を注ぎだすことが可能となる。
【００２５】
　また、使用後は、次のようにして、この瓶用キャップを瓶から取り外すことができる。
【００２６】
　まず蓋体３を開放した状態にし、そして、蓋体３を指でつかんで水平方向ないし下方に引っ張る。すると、キャップ取り外し用弱化線１１，１２が上から下へ裂け切れ、図７に示したように、装着体１の筒状部８に間欠部分ができる。これにより、筒状部８の瓶の口部に対する締め付けの力が緩み、小さな力で容易に装着体１を瓶の口部から取り外すことができる。
【産業上の利用可能性】
【００２７】
　従来の瓶用キャップに代わるものとして利用することが可能である。
【図面の簡単な説明】
【００２８】
【図１】この考案の実施形態の瓶用キャップの開蓋前の状態の斜視図である。
【図２】この考案の実施形態の瓶用キャップの背面図である。
【図３】この考案の実施形態の瓶用キャップの断面図である。
【図４】この考案の実施形態の瓶用キャップの弱化線を形成した部分を引き裂く様子を示す斜視図である。
【図５】この考案の実施形態の瓶用キャップの弱化線を引き裂き終えた様子を示す斜視図である。
【図６】この考案の実施形態の瓶用キャップの開蓋した状態を示す斜視図である。
【図７】この考案の実施形態の瓶用キャップの蓋体を切り離した状態を示す斜視図である。
【符号の説明】
【００２９】
　１　装着体
　２　ヒンジ
　３　蓋体
　４ａ，４ｂ　弱化線
　５　両弱化線の間の部分
　５ａ　延長片
　６　内容物遮断壁
　７　プルタブ
【図１】
0003100547.tif 000003
【図２】
0003100547.tif 000004
【図３】
0003100547.tif 000005
【図４】
0003100547.tif 000006
【図５】
0003100547.tif 000007
【図６】
0003100547.tif 000008
【図７】
0003100547.tif 000009